(57)【要約】【課題】映像表示装置内にて特に熱を持ち易い部位を的確に冷却できなかった。また、塵や埃が映像表示装置内に侵入していた。【解決手段】キャビネットの背面に形成した開口４１に空気清浄用のフィルタ５０を取り付けるとともに、吸気ファン６０によってこの開口４１を介してキャビネット外部からキャビネット内部へ空気を取り込み、当該取り込んだ空気によってキャビネット内を冷却する。また、吸気ファン６０から高熱部位３１に向けてダクト７０を延設するとともに、ダクト７０を高熱部位３１の温度に応じて伸縮させるとし、高熱部位３１が高熱である場合には当該高熱部位３１を確実に冷却する【選択図】図２
2007003804.tif 000002
【特許請求の範囲】
【請求項１】
筺体内部と外部との間で空気を通過させる所定のファンと空気清浄用のフィルタとを備えるプラズマテレビジョンにおいて、
筺体壁面のうち略上方を向く壁面または略下方を向く壁面に形成された開口部と、
上記開口部に取り付けられた上記フィルタと、
筺体外部の空気を吸い込み筺体内部に吐き出す吸気ファンであって、上記開口部に略相対した吸込み口から、筺体内部に収容されたプラズマディスプレイパネルの背面側の基板に配設されたプラズマテレビジョンの駆動の際に高熱となる部位に略相対した吐出し口へと、空気を誘導するシロッコファンと、
上記シロッコファンの吐出し口から上記高熱となる部位の方向に向かって形成された通風路としての第一ダクトと、
上記高熱となる部位の温度を検知する温度センサによる検知結果に応じて第一ダクトを伸縮させることで第一ダクトの先端と上記高熱となる部位との距離を変更可能とした第一ダクト伸縮手段と、
上記温度センサによる検知結果に応じてシロッコファンの回転数を変更する回転数制御手段と、
上記開口部とシロッコファンの吸込み口とを接続する第二ダクトと、
を備えることを特徴とするプラズマテレビジョン。
【請求項２】
筺体内部と外部との間で空気を通過させる所定のファンと空気清浄用のフィルタとを備える映像表示装置において、
上記ファンは、筺体外部の空気を吸い込み筺体内部に吐き出す吸気ファンであり、
上記フィルタは、筺体壁面の所定位置に形成された開口部に取り付けられて上記吸気ファンの吸込み側を覆い、
かつ筺体内部において、上記吸気ファンの吐出し側から映像表示装置の駆動の際に高熱となる部位が配設された方向に向かって第一通風路を形成したことを特徴とする映像表示装置。
【請求項３】
上記第一通風路の長さを伸縮させることで同第一通風路の先端と上記高熱となる部位との距離を変更可能とした通風路伸縮手段を備えることを特徴とする請求項２に記載の映像表示装置。
【請求項４】
上記通風路伸縮手段は、上記高熱となる部位の温度を検知する温度センサによる検知結果に応じて上記第一通風路を伸縮させることを特徴とする請求項３に記載の映像表示装置。
【請求項５】
上記高熱となる部位の温度を検知する温度センサによる検知結果に応じて上記吸気ファンの回転数を変更する回転数制御手段を備えることを特徴とする請求項２〜請求項４のいずれかに記載の映像表示装置。
【請求項６】
上記開口部は、筺体壁面のうち略上方を向く壁面または略下方を向く壁面に形成されるとともに、上記吸気ファンは、上記開口部に略相対した吸込み口から上記筺体内部に収容された基板に配設された上記高熱となる部位に略相対した吐出し口へと空気を誘導するシロッコファンであり、上記開口部と吸込み口との間は第二通風路によって接続されていることを特徴とする請求項２〜請求項５のいずれかに記載の映像表示装置。
【発明の詳細な説明】
【技術分野】
【０００１】
本発明は、通風用のファンと空気清浄用のフィルタとを有するプラズマテレビジョンおよび映像表示装置に関する。
【背景技術】
【０００２】
従来技術として、装置本体内の空気中の塵埃を金網に取り付けたエアフィルタにより捕集し、ファン装置により、装置本体内部で塵埃が除去されて浄化された空気を装置外部に供給する表示装置が知られている（例えば、特許文献１参照。）。
【特許文献１】特開平１１‐３１６５５０号公報
【発明の開示】
【発明が解決しようとする課題】
【０００３】
上記の従来技術においては、エアフィルタがテレビジョン受像機の内部に取り付けられているため、テレビジョン受像機内部への塵埃の侵入自体は防ぐことができず、かかる塵埃の侵入が各回路部品や電子部品の故障の原因の一つとなっていた。
また、エアフィルタがテレビジョン受像機内にあるため、フィルタの交換作業が非常に煩雑であった。
【０００４】
さらに、映像表示装置の内部には、例えば電源回路など、駆動時において特に高温となる部位が存在し、このような部位は他の部位よりも重点的に冷却することが求められる。しかし、上記従来技術の構成によっては、映像表示装置内において重点的に冷却すべき部位を適切に冷却することはできなかった。
さらに、上記文献のように、ファン装置が装置本体の壁面位置に設けられている場合には、ファン装置の騒音が外部にそのまま洩れてしまっていた。
【０００５】
本発明は、上記課題に鑑みてなされたもので、装置内部への塵埃の侵入防止および装置内部の状況に応じた最適な冷却処理を実現可能であり、かつ高い静寂性を持ったプラズマテレビジョンおよび映像表示装置を提供することを目的とする。
【課題を解決するための手段】
【０００６】
上記目的を達成するために請求項２の発明は、筺体内部と外部との間で空気を通過させる所定のファンと空気清浄用のフィルタとを備える映像表示装置において、上記ファンは、筺体外部の空気を吸い込み筺体内部に吐き出す吸気ファンであり、上記フィルタは、筺体壁面の所定位置に形成された開口部に取り付けられて上記吸気ファンの吸込み側を覆い、かつ筺体内部において、上記吸気ファンの吐出し側から映像表示装置の駆動の際に高熱となる部位が配設された方向に向かって第一通風路を形成した構成としてある。
【０００７】
上記のように構成した請求項２においては、吸気ファンが、映像表示装置の筺体外部の空気を吸い込み筺体内部に吐き出すことにより、筺体内部を冷却する。また、上記フィルタは、筺体壁面の所定位置に形成された開口部に取り付けられて吸気ファンの吸込み側を覆うため、開口部を介して吸気ファンによって筺体内部に取り込まれる空気中の塵や埃の映像表示装置内への侵入が防がれる。
さらに、筺体内部においては、吸気ファンの吐出し側から映像表示装置の駆動の際に高熱となる部位が配設された方向に向かって第一通風路を形成しているため、上記高熱となる部位の周辺を空気が効率的に循環し、その結果、当該部位の温度上昇が抑えられる。
【０００８】
請求項３の発明は、請求項２に記載の映像表示装置において、上記第一通風路の長さを伸縮させることで同第一通風路の先端と上記高熱となる部位との距離を変更可能とした通風路伸縮手段を備える構成としてある。
つまり、通風路伸縮手段によって、第一通風路の長さを伸縮可能とすることで、吸気ファンによって筺体内部へ吸い込まれた空気の上記高熱となる部位への当たり具合を調節することができる。
【０００９】
より具体的には、請求項４の発明は、請求項３に記載の映像表示装置において、上記通風路伸縮手段は、上記高熱となる部位の温度を検知する温度センサによる検知結果に応じて上記第一通風路を伸縮させる構成としてある。
上記通風路伸縮手段は、温度センサにより所定レベルの高熱が検知されたら、第一通風路の先端と上記高熱となる部位との距離を近付けて当該部位が重点的に冷却されるようにし、逆に高熱が検知されない場合には、第一通風路を縮めて先端を上記高熱となる部位から遠ざけ筺体内が満遍なく冷却されるようにする。
【００１０】
請求項５の発明は、請求項２〜請求項４のいずれかに記載の映像表示装置において、上記高熱となる部位の温度を検知する温度センサによる検知結果に応じて上記吸気ファンの回転数を変更する回転数制御手段を備える構成としてある。
つまり、上記高熱となる部位の冷却程度は、第一通風路の伸縮に限らず、冷却ファンの回転数を温度センサの検知結果に応じて多くしたり少なくしたりすることでも調整可能である。
【００１１】
筺体内部においては、吸気ファンの吐出し口は上記高熱となる部位に向け、吸気ファンの吸込み口は上記開口に向けた状態としておく必要がある。しかし、映像表示装置の室内での設置態様を考慮した場合、上記開口は、その位置を装置の背面側にすることは適切でない場合があり、一方、上記高熱となる部位の位置によっては、装置内部において背面側から前面側に向けて空気を当該部位に対して当てることが適切である場合がある。
【００１２】
そこで、請求項６の発明は、請求項２〜請求項５のいずれかに記載の映像表示装置において、上記開口部は、筺体壁面のうち略上方を向く壁面または略下方を向く壁面に形成されるとともに、上記吸気ファンは、上記開口部に略相対した吸込み口から上記筺体内部に収容された基板に配設された上記高熱となる部位に略相対した吐出し口へと空気を誘導するシロッコファンであり、上記開口部と吸込み口との間は第二通風路によって接続されている構成としてある。
【００１３】
上記のように構成した請求項６においては、開口部は、筺体壁面のうち略上方を向く壁面または略下方を向く壁面に形成され、開口部とシロッコファンの吸込み口とが第二通風路によって接続されている。そして、開口部を通過し吸込み口から吸い込まれた空気は、筺体内部に収容された基板に配設された上記高熱となる部位に略相対したシロッコファンの吐出し口へと誘導され、同吐出し口から第一通風路を介して、筺体内部の空間へと吐き出される。つまり、開口部を上記高熱となる部位の直ぐ近くの筺体壁面に形成できなかったり、開口部の向きと第一通風路の向きとが別方向である場合にも、上記構成とすることで、上記高熱となる部位を的確に冷却することが可能となる。
【００１４】
上述の各構成を踏まえて、請求項１の発明は、筺体内部と外部との間で空気を通過させる所定のファンと空気清浄用のフィルタとを備えるプラズマテレビジョンにおいて、筺体壁面のうち略上方を向く壁面または略下方を向く壁面に形成された開口部と、上記開口部に取り付けられた上記フィルタと、筺体外部の空気を吸い込み筺体内部に吐き出す吸気ファンであって、上記開口部に略相対した吸込み口から、筺体内部に収容されたプラズマディスプレイパネルの背面側の基板に配設されたプラズマテレビジョンの駆動の際に高熱となる部位に略相対した吐出し口へと、空気を誘導するシロッコファンと、上記シロッコファンの吐出し口から上記高熱となる部位の方向に向かって形成された通風路としての第一ダクトと、上記高熱となる部位の温度を検知する温度センサによる検知結果に応じて第一ダクトを伸縮させることで第一ダクトの先端と上記高熱となる部位との距離を変更可能とした第一ダクト伸縮手段と、上記温度センサによる検知結果に応じてシロッコファンの回転数を変更する回転数制御手段と、上記開口部とシロッコファンの吸込み口とを接続する第二ダクトとを備える構成としてある。
【００１５】
このような、より具体的な構成において請求項２〜請求項６の各発明と同様の作用および効果を奏することは言うまでもない。
【発明の効果】
【００１６】
以上説明したように本発明によれば、吸気ファンによって装置外部の空気を装置内部に吸い込む際に、ファンの吸込み口と接続した開口に空気清浄用のフィルタを取り付けたため、プラズマテレビジョンを含む映像表示装置の内部に塵埃が進入することを確実に防ぐことができる。
また、上記開口にフィルタを取り付けたため、フィルタの交換作業が極めて容易となる。
さらに、装置内部において特に高熱となりやすい部位を、確実に冷却することができる。
さらに、筺体内部にシロッコファンを収容することにより、従来のように筺体壁面の位置にファンを設けていた場合と比較してファンの騒音が外部に洩れ難く、静寂性の高いプラズマテレビジョンを提供することができる。
【発明を実施するための最良の形態】
【００１７】
（１）第一の実施例
図１は、本発明にかかるプラズマテレビジョン１００を組み立てる様子を背面側から斜視図によって示しており、図２は、組み立て後のプラズマテレビジョン１００の内部構造を側面側から示している。ただし、図２においては、プラズマテレビジョン１００の筺体としてのフロントキャビネット１０とリアキャビネット４０とについては、断面を示している。また、図１，２では、プラズマテレビジョン１００の各構成要素のうち本発明の説明に特に必要な構成要素のみを図示している。
【００１８】
プラズマテレビジョン１００の外観は、その前面側がフロントキャビネット１０によって、その背面側がリアキャビネット４０によってそれぞれ覆われている。両キャビネットの内部には、プラズマディスプレイパネル（ＰＤＰ）２０等が収容される。以下、単にキャビネットと言った場合には、フロントキャビネット１０とリアキャビネット４０との両方を含むものとする。
【００１９】
フロントキャビネット１０の前面には開口１１が形成されており、同開口１１によってＰＤＰ２０の表示面を外部に露見させる。ＰＤＰ２０の背面側には、チューナ回路や電源回路や映像信号・音声信号の処理回路やＰＤＰ２０のパネル駆動回路など、プラズマテレビジョン１００を駆動するために必要な各回路（不図示）を搭載したメイン基板３０が配設される。リアキャビネット４０の背面の所定位置には開口４１が形成されている。さらに、図示は省略してあるが、キャビネットの壁面には複数箇所に貫通口を形成し、これら複数の貫通口からキャビネット内部の空気が外部に排出されるようにしてある。
【００２０】
本発明においては、この開口４１に空気清浄用のフィルタ５０を取り付けている。フィルタ５０は空気は通過させるとともに通過する空気中の塵や埃を収集する機能を有している。また、キャビネット内部には、開口４１の位置に対応して吸気ファン６０が内接されている。吸気ファン６０は内部のプロペラを図示しない動力機構（ファン用モータ）によって回転させることで、キャビネット外部の空気を開口４１を介してキャビネット内部に取り込む。吸気ファン６０は、開口４１に対しては吸込み口６１を、前面側に対しては吐出し口６２をそれぞれ対抗させている。
【００２１】
吸気ファン６０によってキャビネット内部に取り込まれた空気は、キャビネット内部を循環することでキャビネット内部の各構成部位を冷却した後、上記各貫通口から排出される。このような取り込まれた空気は、キャビネット内部にて広く拡散させてＰＤＰ２０や上記各回路を満遍なく冷却してもよいし、他の部位と比較して高熱となりやすい特定の部位（以下、高熱部位）の周辺に集中的に誘導し、高熱部位を効率的に冷却するようにしてもよい。
【００２２】
そこで本発明においては、吸気ファン６０の吐出し口６２からダクト７０を延設することで、冷却用の空気の循環態様を様々に変更可能としている。
具体的には、ダクト７０はキャビネット内部において吐出し口６２からプラズマテレビジョン１００の前面側に向かって延設されており、その先端はメイン基板３０上に搭載された高熱部位３１に相対している。言い換えれば、開口４１や吸気ファン６０やダクト７０の位置が、メイン基板３０上での高熱部位３１の位置に応じて決められている。高熱部位３１の具体例としては、電源回路を構成するトランスや、パネル駆動回路を構成する半導体に取り付けられた放熱板などが考えられる。
【００２３】
ダクト７０は、マイコン制御によってその長さを伸縮可能としている。
図３は、ダクト７０を伸縮させてその先端７０ａ１と高熱部位３１との距離を変更する様子を示している。ダクト７０は、径の異なる複数の筒状部材７０ａ〜７０ｃを、径の最も細い筒状部材７０ｃを最も内側として、筒状部材７０ｂ,７０ａと径が太くなる順に外側に重ねて構成した通風路である。筒状部材７０ｃの背面側端部は、吐出し口６２が形成された側の吸気ファン６０の壁面に接しており、筒状部材７０ａの前面側端部（先端７０ａ１に対応。）は、高熱部位３１に最も接近している。
【００２４】
上記構成としたダクト７０は、メイン基板３０の所定位置に搭載されてプラズマテレビジョン１００全体を制御するマイコン（不図示）の伸縮制御処理により、高熱部位３１の温度に応じてその長さを伸縮させる。図２，３に示すように、高熱部位３１の近傍には温度センサ３２が設置されている。マイコンは温度センサ３２からの検知結果を入力し、検知された温度の高さに応じてダクト７０の長さを変更させる。つまり、温度センサ３２による検知結果が高温であるほど、ダクト７０を伸長させて先端７０ａ１を高熱部位３１に接近させる。逆に、温度センサ３２による検知結果が低温である場合にはダクト７０を縮めて先端７０ａ１と高熱部位３１との距離を長く確保する。
【００２５】
その結果、プラズマテレビジョン１００の駆動中、高熱部位３１の温度が上昇している場合には、ダクト７０を伸ばして高熱部位３１に集中的に空気を送り込み高熱部位３１を効率的に冷却することができる。一方、高熱部位３１の温度がそれほど上昇していない場合には、ダクト７０を短くすることで、先端７０ａ１から排出される空気をキャビネット内部に広く拡散し易くし、高熱部位３１を含む各回路等を満遍なく冷却することができる。なお、マイコンは、温度センサ３２の検知結果が高温であるか低温であるかを、予め定めたしきい値との比較により判断すればよい。また、しきい値は複数設定しておき、検知結果がどのしきい値間に含まれるかによって、ダクト７０の伸縮程度を変化させればよい。
【００２６】
なお、上記では高熱部位３１の温度を検知する温度センサ３２を、単に、高熱部位３１の近傍に設けると表現したが、温度センサ３２と高熱部位３１とを熱的に接続してもよい。熱的接続の具体的態様としては、温度センサ３２を高熱部位３１に対して熱伝導に優れた接着剤などで直接付着したり、温度センサ３２と高熱部位３１とを熱伝導シートなどで接続したりすることができる。或いは、温度センサ３２と高熱部位３１とを板金部材で接続してもよいし、高熱部位３１が放熱板を備える場合には同放熱板に対して温度センサ３２を取付るとしもよい。
このように温度センサ３２を高熱部位３１に対して熱的に接続すれば、温度センサ３２は、高熱部位３１の温度をより正確に検知することができる。
【００２７】
ここで、ダクト７０の長さを変更するための機構は特に限定されないが、一例として以下の構成とすることができる。
図３に示すように、筒状部位７０ｃの外壁には、ダクト７０の延設方向すなわち背面側側‐前面側方向に向かって略平行に突起状のレール７０ｃ１が敷設されている。一方、筒状部位７０ｂの内壁にはその壁面に対して回転軸７０ｂ３が略垂直に立てられているとともに、この回転軸７０ｂ３には車７０ｂ２が取り付けられている。車７０ｂ２は、筒状部位７０ｃのレール７０ｃ１の間にはめ込まれている。そして、回転軸７０ｂ３を回転させることで、車７０ｂ２がレール７０ｃ１内を移動し、それに伴い筒状部材７０ｂが筒状部材７０ｃの外側を背面側‐前面側方向に移動する。
【００２８】
このような構成において、マイコンは、回転軸７０ｂ３を回転させるモータやギア等からなる所定の動力機構と電気的に接続し、当該動力機構を駆動させて上記温度センサ３２が検知する温度の高さに応じて所定回数分だけ回転軸７０ｂ３を回転させる。
なお、筒状部材７０ａが筒状部材７０ｂの外側を背面側‐前面側方向に移動する場合の構成も上記と同様である。
【００２９】
さらに、マイコンは吸気ファン６０のプロペラの回転速度を制御するとしてもよい。
この場合も、マイコンは、上記温度センサ３２からの検知結果を入力し、検知された温度の高さに応じてプロペラの回転速度を変更する。具体的には、温度センサ３２の検知結果が高温であるほど、プロペラを回転させるファン用モータを制御してプロペラの回転速度を上げ、逆に、温度センサ３２の検知結果が低温である場合にはファン用モータを制御してプロペラの回転速度を下げる。その結果、高熱部位３１が高温である場合にはプロペラの回転数が上昇し、高熱部位３１に対する冷却作業が活発となる。
【００３０】
このように、本発明によれば、キャビネットの背面に形成した開口４１に空気清浄用のフィルタ５０を取り付けるとともに、吸気ファン６０によってこの開口４１を介してキャビネット外部からキャビネット内部へ空気を取り込み、当該取り込んだ空気によってキャビネット内を冷却する。そのため、外部の空気中に含まれる塵や埃がフィルタ５０によって収集され、浄化された空気がキャビネット内に取り込まれることとなり、塵や埃がプラズマテレビジョン１００内のＰＤＰ２０や各回路に付着してこれらの故障を誘発してしまうという不都合を防ぐことができる。
【００３１】
また、フィルタ５０は開口４１に取り付けられているだけなので、その交換作業が極めて容易であり、プラズマテレビジョン１００内に清浄化された空気が取り込まれることを維持することも容易となる。
また、塵や埃を含むプラズマテレビジョン１００外部の空気を吸引してフィルタ５０によって塵や埃を収集するため、外部の空気が浄化されプラズマテレビジョン１００の周辺に堆積しがちな塵や埃を低減することができる。
さらに、吸気ファン６０から高熱部位３１に向けてダクト７０を延設するとともに、ダクト７０を高熱部位３１の温度に応じて伸縮させるとしたため、プラズマテレビジョン１００の内部に対する冷却の態様を最適なものとすることができる。特に、各構成部品の中でも特に熱を持ちやすく冷却の必要性の高い高熱部位３１が実際に高熱である場合には当該高熱部位３１を確実に冷却することができる。
【００３２】
（２）第二の実施例
キャビネットの外部から空気を取り込むための開口をキャビネットの背面に形成することが適切でない状況が存在する。つまり、プラズマテレビジョン１００を室内の壁際に置いたり、壁掛け状態にて設置する場合には、キャビネットの背面は壁と接近するか或いは接するため、当該開口は背面以外のキャビネット壁面に形成すべきである。
そこで第二の実施例においては、当該開口をキャビネットの背面以外に形成した場合について説明する。
【００３３】
図４は、第二の実施例にかかるプラズマテレビジョンの内部構造を側面側から示している。同図においては、第一の実施例と共通する部分については図１，２と共通の符号を用いている。また図２と同様に、フロントキャビネット１０とリアキャビネット４０とについては断面を示している。以下においては、第一の実施例と相違する点について説明する。
【００３４】
同図に示すように、リアキャビネット４０には、その各壁面のうちある角度だけ傾いてその面を上方に向かせた壁面における所定位置に開口４２が形成されている。また、リアキャビネット４０の各壁面のうち、下方を向く壁面における所定位置にも開口４３が形成されている。開口４３は、プラズマテレビジョン１００を壁掛け状態にて設置する場合を想定して記載したものである。各開口４２，４３には夫々に空気清浄用のフィルタ５０が取り付けられている。つまり、キャビネット内部へは、各開口４２，４３を介して空気が取り込まれる。
【００３５】
第二の実施例においても、メイン基板３０上に搭載された高熱部位３１を集中的に冷却するための構成を採用するが、上述したように、空気取り込み用の開口は、高熱部位３１と相対するリアキャビネット４０の背面には形成されていない。そこで、第二の実施例では、吸気ファンとしていわゆるシロッコファン８１，８２を用いるとともに、開口４２とシロッコファン８１、開口４３とシロッコファン８２とをそれぞれ通風路としての第二ダクト９１，９２によって接続する。
【００３６】
図５は、シロッコファン８１を示している。シロッコファン８１は空気の吸込み口８１ａと吐出し口８１ｂとの方向が異なるファンである。シロッコファン８１は、吸込み口８１ａを上方に向け、吐出し口８１ｂを前面側に向けた状態でリアキャビネット４０の内壁に固定されている。シロッコファン８１の内部には図に示す様な形状の羽根車８１ｃが収納されており、羽根車８１ｃを回転させることで、羽根車８１ｃの軸方向に形成された吸込み口８１ａから空気が吸い込まれる。吸い込まれた空気は、羽根車８１ｃの各羽根によってシロッコファン８１内部の空間であって羽根車８１ｃの外側を取り巻く空間内に押出された後、当該空間内を一定方向に流れて吐出し口８１ｂから排出される。
【００３７】
このようなシロッコファン８１の吸込み口８１ａと開口４２とを通風路としての第二ダクト９１によって接続し、かつ、シロッコファン８１の吐出し口８１ｂと第一の実施形態で説明したダクト７０とを接続する。むろん、ダクト７０の先端は高熱部位３１の方向に向けられている。その結果、キャビネット外部の空気を開口４２を介して取り込むとともに、取り込んだ空気の流れを、シロッコファン８１によって略上方向から略下方向への流れから、背面側から前面側への流れへと変更することができ、最終的にダクト７０を介して高熱部位３１の周囲を始めキャビネット内部へ空気を流すことができる。シロッコファン８１の羽根車８１ｃの回転は、上記吸気ファン６０のプロペラと同様、マイコンによって制御可能である。
【００３８】
下側の開口４３に対応するシロッコファン８２も、図５のシロッコファン８１と比較して吸込み口の向きが異なるだけで、その機能は同じである。開口４３とシロッコファン８２の吸込み口８２ａとは第二ダクト９２によって接続されており、シロッコファン８２の吐出し口８２ｂにもダクト７０が取り付けられている。
ただし、開口４２，４３の両方をリアキャビネット４０に形成することなく、いずれか一方のみとしてもよい。むろん、いずれか一方とした場合には、第二ダクトとシロッコファンとダクト７０とはぞれぞれ一つとなる。
【００３９】
このように第二の実施例によれば、空気取り込み用の開口をリアキャビネット４０の背面ではなく、各壁面のうち略上方を向く壁面または下方を向く壁面に形成し、かつ、高熱部位３１を集中的に冷却する機能を実現したため、プラズマテレビジョン１００を壁際に設置したり、壁掛け状態で設置しても、キャビネット外部の空気を支障なくキャビネット内部に取り込み、高熱部位３１を始めプラズマテレビジョン１００の内部を冷却することができる。また、開口４２，４３の位置が上述した位置であるため、プラズマテレビジョン１００を壁際に置いた状態や壁掛け状態から動かすことなくフィルタ５０を極めて容易に交換することができる。
【００４０】
さらに、図４から明らかなようにシロッコファン８１，８２は、開口４２，４３からは離れて完全にキャビネット内部に収容されている。そのため、第二の実施例によれば、ファン駆動時の騒音が外部に洩れ難い、静寂性の高いプラズマテレビジョンを提供することができる。
【図面の簡単な説明】
【００４１】
【図１】プラズマテレビジョンを組み立てる様子を示した背面斜視図。
【図２】プラズマテレビジョンの内部構造を側面側より一部断面を含んで示した図。
【図３】ダクトが伸縮する様子を示した図。
【図４】第二の実施例にかかるプラズマテレビジョンの内部構造を側面側より一部断面を含んで示した図。
【図５】シロッコファンを示した図。
【符号の説明】
【００４２】
１０…フロントキャビネット
２０…ＰＤＰ
３０…メイン基板
３１…高熱部位
３２…温度センサ
４０…リアキャビネット
４１，４２，４３…開口
５０…フィルタ
６０…吸気ファン
６１，８１ａ，８２ａ…吸込み口
６２，８１ｂ，８２ｂ…吐出し口
７０…ダクト
７０ａ、７０ｂ，７０ｃ…円筒部材
８１，８２…シロッコファン
８１ｃ…羽根車
９１，９２…第二ダクト
１００…プラズマテレビジョン
【図１】
2007003804.tif 000003
【図２】
2007003804.tif 000004
【図３】
2007003804.tif 000005
【図４】
2007003804.tif 000006
【図５】
2007003804.tif 000007